(57)【要約】【課題】  所望の色相で光源を発光させることが可能な照明制御装置を構成する。【解決手段】  時間間隔におけるＯＮ状態とＯＦＦ状態との比率をＰＷＭ式に設定する信号を制御端子Ｐｃから出力する電力設定回路２３を備えたコントローラ２１を用い、この電力設定回路２３は、時間間隔の初期にＯＦＦ状態を維持し、その後、ＯＮ信号を出力する形態で設定されたデューティ比の信号を出力するよう構成され、コントローラ２１は、時間間隔におけるＯＦＦ信号の出力時にデューティ比を指定するデータをセットするよう構成した。【選択図】        図６
2005228551.tif 000002
【特許請求の範囲】
【請求項１】
発光色が異なる複数の発光体を有する光源を備え、夫々の発光体の発光量の調節により、光源から発する光線の色相を制御する制御手段を備えている照明制御装置であって、
前記制御手段が、異なる色相の前記発光体に対応した複数の出力端子と、発光体に供給する電力を設定する制御端子とを備えると共に、設定された時間間隔毎に前記制御端子に対して設定されたデューティ比の信号を出力する電力設定回路を備えたコントローラで構成され、
このコントローラは、前記複数の出力端子を指定するデータと、前記電力設定回路に対して前記デューティ比を指定するデータとを含む命令を前記時間間隔毎に実行することにより、前記出力端子と制御端子とを制御するよう構成され、この命令は、先の命令の実行時又は実行以前に予めセットするよう処理形態を設定してある照明制御装置。
【請求項２】
前記電力設定回路は、前記時間間隔の開始時にＬＯＷ状態を維持し、その後、ＨＩＧＨ信号を出力する形態で前記デューティ比の信号を出力するよう出力タイミングが設定されると共に、前記制御手段は、前記時間間隔中におけるＬＯＷ信号の出力時に前記出力端子を指定するデータをセットし、前記デューティ比を指定するデータをセットするよう構成されている請求項１記載の照明制御装置。
【請求項３】
前記複数の発光体に供給する電力を制御する電力制御素子を複数の発光体に対応して備えると共に、前記制御端子を前記複数の電力制御素子の制御端子に接続し、前記出力端子を対応する前記電力制御素子の電力端子に接続してある請求項１又は２記載の照明制御装置。
【請求項４】
前記１つの発光体に対応して複数の前記電力制御素子を並列状態で接続し、夫々の電力制御素子に電力を供給する電力系に異なる抵抗値の抵抗器を介在させ、前記制御端子を前記複数の電力制御素子の制御端子に接続すると共に、夫々の電力制御素子の電力端子を対応する前記出力端子に接続する、又は、夫々の電力制御素子に流れる電流を制御するための電力制御素子の制御端子を対応する前記出力端子に接続している請求項１又は２記載の照明制御装置。
【発明の詳細な説明】
【技術分野】
【０００１】
本発明は、発光色が異なる複数の発光体を有する光源を備え、夫々の発光体の発光量の調節により、光源から発する光線の色相を制御する制御手段を備えている照明制御装置に関し、詳しくは、予め設定されたプログラムに従って光源が発する光線の色相を設定する技術に関する。
【背景技術】
【０００２】
上記のように構成された照明制御装置として、光源（３）に備えられた三原色となる発光ダイオードを制御して任意の色相の光線を得るための４ビット型マイコン（２０）（本発明の制御手段）を備え、このマイコン（２０）が、予め設定されたプログラムを実行することによって、夫々の発光ダイオードに供給する電力をＰＷＭ（Pulse Width Modulation）制御によって調節することや、専用の電力制御系を制御するものが存在する（例えば、特許文献１参照・番号は文献中のものを引用）。
【０００３】
【特許文献１】特開２００２‐２８９００５号公報（段落番号〔００２４〕〜〔００２７〕）
【発明の開示】
【発明が解決しようとする課題】
【０００４】
特許文献１に記載されるもののように、マイコンによって発光ダイオードに供給する電力をＰＷＭ制御によって調節するものでは、比較的単純な電気回路でありながら光源の色相や、光量を容易に多段階に変更、調節できると云う有効な面を現出するものとなる。しかしながら、マイコンでの処理形態を考えた場合、４ビットマイコンのように殆どの処理をソフトウエアで行うものでは、ＰＷＭ制御を行う際にもＯＮ時間とＯＦＦ時間とをソフトウエア的に計数することになる。従って、このＯＮ時間とＯＦＦ時間とを計数する処理の途中に割込み処理があった場合には、マイコンの特性として必ず遅れを生じ、電力制御の開始タイミングが遅れることや、予め設定されたデューティ比の信号を得ることができず、所望の色相の光を得られないものであった。
【０００５】
本発明の目的は、所望の色相で光源を発光させることが可能な照明制御装置を合理的に構成する点にある。
【課題を解決するための手段】
【０００６】
本発明の特徴は、発光色が異なる複数の発光体を有する光源を備え、夫々の発光体の発光量の調節により、光源から発する光線の色相を制御する制御手段を備えている照明制御装置において、前記制御手段が、異なる色相の前記発光体に対応した複数の出力端子と、発光体に供給する電力を設定する制御端子とを備えると共に、設定された時間間隔毎に前記制御端子に対して設定されたデューティ比の信号を出力する電力設定回路を備えたコントローラで構成され、このコントローラは、前記複数の出力端子を指定するデータと、前記電力設定回路に対して前記デューティ比を指定するデータとを含む命令を前記時間間隔毎に実行することにより、前記出力端子と制御端子とを制御するよう構成され、この命令は、先の命令の実行時又は実行以前に予めセットするよう処理形態を設定してある点にある。
【０００７】
この構成により、発光体に電力を供給する際には、指定された出力端子に対して、電力設定回路が設定したデューティ比となる信号を時間間隔毎に出力端子から出力されるものとなるので、出力端子で指定された発光体に対して、設定されたデューティ比の電力を供給できるものとなる。つまり、ソフトウエア的にＯＮ時間とＯＦＦ時間とを計数することにより目的とするデューティ比の電力を得るよう構成された制御手段と比較すると、割込み処理が行われても目的とするデューティ比を得るものとなる。その結果、所望の色相で光源を発光させることが可能で、その色相を滑らかに変更することも可能な照明制御装置が合理的に構成された。特に、本発明によると、発光色が異なる複数の発光体の光量を時間経過に伴って微妙に変化させることにより色相や明度や彩度の階調を段階的に変化させる、所謂、グラデーション効果を奏することも可能である。
【０００８】
本発明は、前記電力設定回路として、前記時間間隔の開始時にＬＯＷ状態を維持し、その後、ＨＩＧＨ信号を出力する形態で前記デューティ比の信号を出力するよう出力タイミングが設定されると共に、前記制御手段は、前記時間間隔中におけるＬＯＷ信号の出力時に前記出力端子を指定するデータをセットし、前記デューティ比を指定するデータをセットするよう構成しても良い。
【０００９】
このコントローラとして、マイクロプロセッサを考えた場合、前記出力端子を指定することも前記デューティ比を指定することもプログラムが行う処理であり、このプログラムは光源に対する電力制御の他の処理を行うことも考えられるため、例えば、電力制御の制御単位としての時間間隔において、この時間間隔の初期にＯＮ状態を出力するもので、かつ、この時間間隔の直前に出力端子を指定する情報と、デューティ比を指定する情報とを受け取る処理（厳密には、レジスタやアキュムレータにデータをセットする処理）を行うものでは、このＨＩＧＨ信号（ＯＮ信号）の出力タイミングが遅れることも考えられるが、時間間隔中におけるＨＩＧＨ信号の出力タイミングを後期に設定し、出力端子を指定する処理とデューティ比を指定する処理を、先の時間間隔において設定することによりＨＩＧＨ信号の出力タイミングが遅れる不都合を招くことがないのである。
【００１０】
本発明は、前記複数の発光体に供給する電力を制御する電力制御素子を複数の発光体に対応して備えると共に、前記制御端子を前記複数の電力制御素子の制御端子に接続し、前記出力端子を対応する前記電力制御素子の電力端子に接続しても良い。
【００１１】
この構成により、電力制御素子として例えば、バイポーラ型のトランジスタを用いた場合には、制御端子を複数のトランジスタのベース端子に接続し、出力端子をトランジスタのエミッタ端子（コレクタ端子でも良い）に接続した状態で、エミッタ端子に電流が流れるように出力端子の電位を設定した状態で、制御端子から設定されたデューティ比の信号を出力することにより、そのトランジスタに対応した発光体に対してトランジスタで制御した電流を流し、その電流を出力端子を介してコントローラ内に流し込む（流し出しても良い）ことになる。つまり、電力設定回路で制御される制御端子が単一であっても、複数の発光体に対して設定された電力を供給して必要とする光量を得ることが可能となるのである。
【００１２】
本発明は、前記１つの発光体に対応して複数の前記電力制御素子を並列状態で接続し、夫々の電力制御素子に電力を供給する電力系に異なる抵抗値の抵抗器を介在させ、前記制御端子を前記複数の電力制御素子の制御端子に接続すると共に、夫々の電力制御素子の電力端子を対応する前記出力端子に接続する、又は、夫々の電力制御素子に流れる電流を制御するための電力制御素子の制御端子を対応する前記出力端子に接続しても良い。
【００１３】
この構成により、１つの発光体に対して電力を供給する場合でも、異なる抵抗値の抵抗器で電流値を設定した電力を流すことになり、光源の光量の微妙な調整を実現するのである。つまり、電力設定回路で制御される制御端子が単一であっても、複数の発光体に対して設定された電力を供給して必要とする光量を微妙に設定することが可能となるのである。
【発明を実施するための最良の形態】
【００１４】
以下、本発明の実施形態を図面に基づいて説明する。
図１〜図５に示すように、上端と下端とに開口部１、２が形成された筒状の本体Ａの内部に密封構造のケーシングＢを備えると共に、このケーシングＢの内部に光源３と、制御基板４と、電池収納部５と、電源スイッチ７及び調光スイッチ８をユニット化したスイッチユニットＳＷとを備えて照明装置が構成されている。前記スイッチユニットＳＷの一対の操作ノブ７Ａ、８Ａは本体Ａの下部の外面に露出する状態で配置してある。そして、この照明装置は、本体Ａの上端の開口部１に対して半透明（透明であっても良い）なカップ状の被照明体Ｃを嵌め込む形態で使用されるものであり、この被照明体Ｃを光源３からの光線で照明することによって、被照明体Ｃばかりで無く被照明体Ｃの内部の収容物の照明も行うよう構成されている。
【００１５】
この被照明体Ｃは、その底壁の外周部に前記本体Ａの上端の開口部１に接当する接当部１０をリング状に形成し、その下部に下方に突出する突出部１１を形成した略一定の厚みで上方に開放するカップ状に成形されている。図１には収容物の一例として光線の透過を許す透明のゲル状の芳香剤１２を貯留した状態を示している。尚、収納物として芳香剤以外に、鑑賞用の植物や照明によって映える装飾品や装身具が考えられる。
【００１６】
前記本体Ａは平面視で円形で上端側を下端側より少し小径とすることで側面視で台形となる形状で、上端と下端とに円形となる前記開口部１、２が形成されている。この本体Ａは光線が透過する透明な樹脂（素材は後述する）で一体的に形成され、この樹脂の表面を磨りガラス状に加工して光線を拡散させるよう構成されている。
【００１７】
前記ケーシングＢは、平面視で円形となる上壁１５と、側壁１６とを一体成形すると共に、プレート状の底壁１７を複数のビス１８により固定した構造であり、上壁１５と側壁１６とに光線が透過する半透明（透明でも良い）な樹脂（素材は後述する）を用いている。又、本体下部の内面に対して環状に凹状の嵌合溝Ａｄを形成してあり、ケーシングＢの側壁１６の外面には嵌合溝Ａｄに嵌合、及び、分離自在な嵌合部１６ｄを環状に成形してあり、この嵌合部１６ｄを嵌合溝Ａｄに弾性的に嵌合させることで本体ＡとケーシングＢとを連結し、ケーシングＢを本体Ａから下方に抜き出して、夫々を分離することも可能に構成されている。前記制御基板４は平面視で円形に成形され、この制御基板４の上面側の中央位置に前記光源３を配置してある。特に、ケーシングＢの内部に配置される制御基板４の上面には光源３からの光線を吸収しないようにシルク印刷によって白色の塗料の膜を形成してあり、前記操作ノブ７Ａ、８Ａを本体Ａから露出させるよう、本体Ａの下部には切り欠き部が形成されている。
【００１８】
このケーシングＢの上壁１５は、平面視で円形で上端部が中央側ほど上方に突出する形状に成形した調光部材１５Ａと、この調光部材１５Ａの中央位置に嵌め込み固定した凹レンズ１５Ｂとで構成されている。
【００１９】
この凹レンズ１５Ｂは調光部材１５Ａと比較して光線の透過率と屈折率とを高く設定したものであるが、前記本体Ａと、ケースＢとに同じ素材を用いることも可能である。具体的にはゼオノア（〈シクロオレフィンポリマー〉日本ゼオン株式会社の登録商標）、ポリカーボネート、アクリル等の樹脂が透明性、耐衝撃性から適当であるが、ガラスを用いることも可能である。そして、凹レンズ１５Ｂとして、前述した樹脂を光学レンズと同様に透明な状態で使用することが可能である。又、本体Ａ及びケーシングＢ（上壁と側壁）として、前述した樹脂を磨りガラスのように表面を加工して光線を拡散させ得る形態で使用することや、着色した樹脂を用いて光源３からの光線を着色する形態で使用することや、半透明な樹脂を用いて間接照明的な光線を得る形態で使用することや、あるいは、表面にアルミニウムや金等の金属薄膜を真空蒸着の技術で形成することにより、表面で光線の一部を反射させる形態で使用することも可能である。
【００２０】
このように照明系が構成されているので、電池収納部５に収納された乾電池ＤＢからの電力で光源３を発光させた場合には、光源３から送出された光線が図５に示す如く、凹レンズ１５Ｂに達したものは屈折することで発散し、偏った照明を行うことなく被照明体Ｃを平均的に照明するものとなる。又、調光部材１５Ａに達した光線は該調光部材１５Ａを透過する際に一部が吸収されるものの、この調光部材１５Ａの内部で散乱し、あたかも、この調光部材１５Ａの全体が発光するように広い表面から光線を送り出すので、間接照明と同様の柔らかい光線を送出して影を作り難い照明を行うものとなる。又、凹レンズ１５Ｂや調光部材１５Ａの下面で反射した光線はケーシングＢの内部で反射して一層拡散して光量を平均化させるものとなる。特に、調光部材１５Ａを、中央位置を上方に突出させた形状に成形してあるので、光源３を基準にして調光部材１５Ａの中央が光源３に接近し過ぎる現象を回避して、光源３からの光線を調光部材１５Ａへ平均的に送り、偏りの無い照明を行えるものにしている。尚、光源３からの光線が調光部材１５Ａや、凹レンズ１５Ｂ、あるいは、被照明体Ｃを透過する際の光線の方向（屈折による方向）はスネルの法則に従って説明できるものである。
【００２１】
従って、本発明では本体Ａの上端の開口部１に対してカップ状の芳香剤１２等の被照明体Ｃを載置することにより、この被照明体Ｃや、被照明体Ｃの内部に収めた収納物を、光量に偏りのない平均的な光量で照明できるばかりでなく、調光部材１５Ａで拡散した柔らかい光線で、間接照明のように被照明体Ｃを照明できるので影を作らない状態での照明を可能にするものとなっている。又、照明時にはケーシングＢの内部で乱反射した光線が調光部材１５Ａから本体に達するので、調光部材１５Ａや本体Ａを照明して、この照明装置全体を明るくして存在感を示すものとなっている。又、このように照明が行われる際には、被照明体Ｃの下面の突出部１１が凹レンズ１５Ｂに近接しているので、被照明体Ｃの内部に多くの光量を取込んで、芳香剤１２等の被照明体Ｃを強く照明できるものとなっている。
【００２２】
前記光源３は加色法での三原色となる赤色（Ｒ）、緑色（Ｇ）、青色（Ｂ）の３種の高輝度の発光ダイオードＬＥＤ−Ｒ、ＬＥＤ−Ｇ、ＬＥＤ−Ｂ（発光体の一例、これらの上位概念を発光ダイオードＬＥＤと称する）を１つのパッケージに収納して成り、前記電池収納部５は、複数の乾電池ＤＢが収納される空間を底壁１７の成形により形成してあり、この空間を開閉する蓋体１９を底壁１７に対して着脱自在に備えて構成されている。
【００２３】
前記制御基板４の底面側には、本発明の照明制御装置を構成する制御手段としてプログラムがセットされたマイコンで成るコントローラ２１を備えている。本発明の照明制御装置では、前記コントローラ２１による光源３の制御形態に特徴を有するものであり、その詳細を以下に説明する。
【００２４】
図６に示すように、前記コントローラ２１の入力端子に対して前記電源スイッチ７と調光スイッチ８とからの信号を入力する端子が形成されると共に、このコントローラ２１には、前記光源３を構成する三原色の発光ダイオードＬＥＤ−Ｒ、ＬＥＤ−Ｇ、ＬＥＤ−Ｂを駆動するバイポーラ型のトランジスタＱｒ、Ｑｇ、Ｑｂ（電力制御素子の一例）のベース端子に対して制御信号を出力する制御端子Ｐｃ（ポート）が形成され、トランジスタＱｒ、Ｑｇ、Ｑｂのエミッタ端子の電位を制御する出力端子Ｐｒ、Ｐｇ、Ｐｂ（ポート）が形成されている。尚、３つのトランジスタＱｒ、Ｑｇ、Ｑｂの上位概念をトランジスタＱ（電力制御素子の一例）と称する。
【００２５】
又、この制御系では、前記電池収納部５に収納された乾電池ＤＢから定電圧回路２２を介して送り出される電力をコントローラ２１と、電源スイッチ７と、調光スイッチ８とに供給する電力系（ＶＤＤ）を備えると共に、前記光源３を構成する３種の高輝度の発光ダイオードＬＥＤ−Ｒ、ＬＥＤ−Ｇ、ＬＥＤ−Ｂに対して前記乾電池ＤＢからの電力を供給する電力系（ＢＡＴＴ）を備えている。
【００２６】
コントローラ２１は、予めセットされたプログラムに従って指定した複数の出力端子Ｐｒ、Ｐｇ、Ｐｂを制御するよう機能すると共に、前記制御端子Ｐｃに対してＰＷＭ（Pulse Width Modulation）式に電力を制御する電力設定回路２３を内蔵している。前記電力設定回路２３は、図７に示す時間間隔Ｔ（周期・インターバル）において、時間間隔Ｔの初期にＯＦＦ状態（ＬＯＷ状態）を維持し、その後、ＯＮ状態（ＨＩＧＨ状態）となる信号を出力する形態で設定されたデューティ比（ＯＦＦ時間ｔｘとＯＮ時間ｔｙとの比率）の信号を出力するよう出力タイミングが設定されると共に、デューティ比を設定するデータを予めセットすることにより、コントローラ２１の外部から供給されるクロック信号を回路内部でハードウエア的に分周する等の処理の後に計数することにより設定されたデューティ比の信号をソフトウエアの影響を受けずに制御端子Ｐｃ出力するように構成されたものである。
【００２７】
また、このコントローラ２１は、前記調光スイッチ８を操作することにより、前記光源３を任意の色相で継続的に発光させるルーチンと、前記光源３から発する光線の色相を時間経過に伴って変化させる複数種のルーチンとがプログラムの形でセットされたものであり、何れのルーチンにおいても光源３からの光線の色相を調整する処理は、電力設定回路２３によるＰＷＭ（Pulse Width Modulation）式に電力を制御することにより実現している。
【００２８】
このコントローラ２１で光源３を制御する際における制御端子Ｐｃの信号を図７のタイミングチャートのように示すことができる。つまり、発光ダイオードＬＥＤ−Ｒ、ＬＥＤ−Ｇ、ＬＥＤ−Ｂに対して、この順序で電力を供給するよう制御の順序が設定されると共に、時間周期Ｔにおいて設定されたデューティ比で制御端子Ｐｃから信号を出力し、電力を供給すべき発光ダイオードＬＥＤ−Ｒ、ＬＥＤ−Ｇ、ＬＥＤ−Ｂに対応する出力端子Ｐｒ、Ｐｇ、Ｐｂの何れか１つを指定する処理が実行される。また、このコントローラ２１では、時間周期Ｔの初期のタイミングでデューティ比を設定するデータをセットし、かつ、この初期のタイミングで、その時間周期Ｔにおいて制御すべき発光ダイオードＬＥＤに対応する出力端子Ｐｒ、Ｐｇ、Ｐｂの何れかを指定するデータをセットするようデータの設定形態が設定され、その時間周期Ｔにおいては１周期前にセットされたデューティ比で、その時間周期Ｔで指定されたデューティ比の信号を指定した発光ダイオードＬＥＤに供給して光源３を発光させるものとなっている。
【００２９】
このように処理が実行されることにより、例えば、緑の発光ダイオードＬＥＤ−Ｇを制御する際には、赤の発光ダイオードＬＥＤ−Ｒを制御する時間周期Ｔにおいて緑の発光ダイオードＬＥＤ−Ｇを制御するデューティ比のデータを予めセットし、次の時間周期Ｔにおいて電力を供給すべき発光ダイオードＬＥＤ−Ｇに対応する出力端子ＰｇがＯＦＦ状態（ＬＯＷ状態）となり、制御端子Ｐｃからの信号は３つのランジスタＱｒ、Ｑｇ、Ｑｂのベース端子に伝えられることにより、３つのランジスタＱｒ、Ｑｇ、ＱｂがＯＮ状態に達したタイミングで、エミッタ端子が低電位（ＯＦＦ状態）にあるトランジスタＱｇに対して発光ダイオードＬＥＤ−Ｇからの電流が流れるものとなり、その発光ダイオードＬＥＤ−Ｇをデューティ比に対応した光量で発光させることが可能となるのである。
【００３０】
このような制御を実行することによって時間間隔Ｔにおいて、出力端子Ｐｒ、Ｐｇ、Ｐｂの何れかの出力端子で指定されるトランジスタをＯＮ制御することとなり、そのトランジスタに対応した発光ダイオードＬＥＤを間歇的に駆動し、所謂、ＰＷＭ制御によって３つの発光ダイオードＬＥＤ−Ｒ、ＬＥＤ−Ｇ、ＬＥＤ−Ｂの光量を順次設定し、加色法により光源３の色相を設定できるのである。
【００３１】
このように、本発明によると、調光スイッチ８を操作することにより、予め設定されたプログラムにおいて設定された色相で、設定された光量となるよう光源３が制御され、また、予め設定されたプログラムに基づき時間経過とともに光源３の色相を変化させる形態で光源３を制御できるものとなっている。そして、このように光源３を制御する場合には、光源３を構成する３つの発光ダイオードＬＥＤ−Ｒ、ＬＥＤ−Ｇ、ＬＥＤ−Ｂに供給する電力を電力設定回路２３がＰＷＭ式に制御するものとなり、この電力設定回路２３がハードウエアで構成されているので、光源３に対して電力を供給する際に、コントローラ２１の内部において実行されるプログラムに対して割込み処理が発生した場合でも、ソフトウエアの影響を受けることがなく、光源３を所望の色相で発光させ、その色相を滑らかに変更することが可能となったのである。
【００３２】
特に、電力設定回路２３では、設定された時間間隔Ｔの時間領域の開始時にＯＦＦ状態を維持し、その後、ＯＮ状態の信号を出力する形態で前記デューティ比の信号を出力するよう処理形態が設定されると共に、ＯＦＦ状態の時間ｔｘ（ＬＯＷ時間）とＯＮ状態の時間ｔｙ（ＨＩＧＨ時間）とで表されるデューティ比となるデータを予めセットされるので、制御の直前にデータをセットするものと比較して、ＯＮ状態の時間ｔｙに達するまでのタイミングに遅れを招くことがないのである。つまり、この照明装置では、コントローラ２１に対して予め設定されたプログラムに基づいて光源３からの光線の色相の設定や、光量の設定が行われるものであるが、現実に光量を制御する際には、光量を調節するタイミング以前に、プログラムのデータを電力設定回路２３にセットし、電力を供給する対象を指定するためのデータ（出力端子Ｐｒ、Ｐｇ、Ｐｂを指定するデータ）をセットし、しかも、現実に光量を制御する際にもトランジスタＱを先にＯＦＦ状態に設定し、この後、ＯＮ状態にすることで電力の供給を開始するので、制御の遅れを発生させないものにして精密な制御を実現しているのである。
〔別実施の形態〕
本発明は、上記した実施の形態以外に以下のように構成しても良い（この別実施の形態では前記実施の形態と同じ機能を有するものには、実施の形態と共通の番号、符号を付している）。
【００３３】
（イ）図８に示すように、３つの主ランジスタＱｒ１、Ｑｇ１、Ｑｂ１のエミッタ端子からの電力をグランド（アース）に流すための副トランジスタＱｒ２、Ｑｇ２、Ｑｂ２を備え、この副トランジスタＱｒ２、Ｑｇ２、Ｑｂ２のベース端子を対応する出力端子Ｐｒ、Ｐｇ、Ｐｂに接続する。これら主トランジスタと副トランジスタとは電力制御素子として機能するものであり、このように構成した場合、発光ダイオードＬＥＤ−Ｒ、ＬＥＤ−Ｇ、ＬＥＤ−Ｂを発光させる際には、出力端子Ｐｒ、Ｐｇ、Ｐｂの電位を前記実施の形態とは逆に設定する必要がある。このように構成することにより、発光ダイオードＬＥＤ−Ｒ、ＬＥＤ−Ｇ、ＬＥＤ−Ｂを流れた電流をコントローラ２１に流す必要がなく、発光ダイオードに大電流を流して高輝度の発光を実現することも可能となる。
【００３４】
（ロ）図９に示すように、発光ダイオードＬＥＤ−Ｒ、ＬＥＤ−Ｇ、ＬＥＤ−Ｂ夫々に対応して２つずつの主トランジスタＱｒ１ａ、Ｑｒ１ｂ、Ｑｇ１ａ、Ｑｇ１ｂ、Ｑｂ１ａ、Ｑｂ１ｂを並列的に配置し、これらの主トランジスタに電力を供給する系に抵抗値が異なる抵抗器Ｒａ、Ｒｂ（これらの上位概念を抵抗器Ｒと称する）を介装し、また、主トランジスタＱｒ１ａ、Ｑｒ１ｂ、Ｑｇ１ａ、Ｑｇ１ｂ、Ｑｂ１ａ、Ｑｂ１ｂのエミッタ端子からの電力をグランド（アース）に流すための副トランジスタＱｒ２ａ、Ｑｒ２ｂ、Ｑｇ２ａ、Ｑｇ２ｂ、Ｑｂ２ａ、Ｑｂ２ｂを備え、これらの副トランジスタのベース端子を対応する出力端子Ｐｒａ、Ｐｒｂ、Ｐｇａ、Ｐｇｂ、Ｐｂａ、Ｐｂｂに接続する。このように構成することにより、発光ダイオードＬＥＤ−Ｒ、ＬＥＤ−Ｇ、ＬＥＤ−Ｂを流れた電流をコントローラに流す必要がなく、発光ダイオードに大電流を流して高輝度の発光を実現することも可能となると共に、２つの抵抗器のうちの一方又は双方に電流を流すよう副トランジスタＱｒ２ａ、Ｑｒ２ｂ、Ｑｇ２ａ、Ｑｇ２ｂ、Ｑｂ２ａ、Ｑｂ２ｂを制御することにより一層微妙な光量の調節を実現するのである。
【００３５】
この別実施の形態（ロ）では、副トランジスタＱｒ２ａ、Ｑｒ２ｂ、Ｑｇ２ａ、Ｑｇ２ｂ、Ｑｂ２ａ、Ｑｂ２ｂを備えていたが、この副トランジスタを備えず、主トランジスタＱｒ１ａ、Ｑｒ１ｂ、Ｑｇ１ａ、Ｑｇ１ｂ、Ｑｂ１ａ、Ｑｂ１ｂのエミッタ端子をコントローラ２１の出力端子Ｐｒａ、Ｐｒｂ、Ｐｇａ、Ｐｇｂ、Ｐｂａ、Ｐｂｂに接続しても良い。
【００３６】
（ハ）前記光源として３つ以上の発光ダイオードを用いて構成することや、光源としてフィラメントを有した発光体を用いて構成することも可能である。尚、フィラメントを有した発光体の場合にはＲ（赤）、Ｇ（緑）、Ｂ（青）のフィルタ等、特定の波長の光線を選択的に送出すフィルタを用いることになる。
【図面の簡単な説明】
【００３７】
【図１】被照明体をセットした状態の照明装置の斜視図
【図２】照明装置の分解斜視図
【図３】被照明体をセットした状態の照明装置の断面図
【図４】照明装置の底面図
【図５】照明装置の縦断側面図
【図６】制御系のブロック回路図
【図７】制御動作を示すタイミングチャート
【図８】別実施の形態（イ）の制御系のブロック回路図
【図９】別実施の形態（ロ）の制御系のブロック回路図
【符号の説明】
【００３８】
３                光源
２１              制御手段
２３              電力設定回路
Ｑ                電力制御素子
Ｒ                抵抗器
Ｔ                時間間隔
Ｐｃ              制御端子
Ｐｒ、Ｐｇ、Ｐｂ  出力端子
ＬＥＤ            発光体
【図１】
2005228551.tif 000003
【図２】
2005228551.tif 000004
【図３】
2005228551.tif 000005
【図４】
2005228551.tif 000006
【図５】
2005228551.tif 000007
【図６】
2005228551.tif 000008
【図７】
2005228551.tif 000009
【図８】
2005228551.tif 000010
【図９】
2005228551.tif 000011